(57)【要約】【課題】  異なるゴム硬度を有するゴムの界面をゴム表層部に有しつつも、旋回時の操縦安定性能及び旋回時の制動性能が低下することを抑制することができる空気入りタイヤを提供する。【解決手段】  空気入りタイヤにおいては、タイヤ径方向の外表面を有するゴム表層部を備え、ゴム表層部は、第１ゴムで形成される第１ゴム部と、第１ゴムのゴム硬度よりも大きいゴム硬度である第２ゴムで形成される第２ゴム部と、を備え、第１ゴム部は、車両装着時に内側に配置され、第２ゴム部は、車両装着時に外側に配置され、第１ゴム部と第２ゴム部との界面は、タイヤ幅方向で最も外側に配置される一対の主溝間に配置され、車両装着時にタイヤ赤道面よりも内側のタイヤ外径の平均は、車両装着時にタイヤ赤道面よりも外側のタイヤ外径の平均よりも、大きい。【選択図】  図４
2020045074.tif 000002
【特許請求の範囲】
【請求項１】
タイヤ周方向に延びる複数の主溝を備える空気入りタイヤであって、
タイヤ径方向の外表面を有するゴム表層部を備え、
前記ゴム表層部は、第１ゴムで形成される第１ゴム部と、第１ゴムのゴム硬度よりも大きいゴム硬度である第２ゴムで形成される第２ゴム部と、を備え、
前記第１ゴム部は、車両装着時に内側に配置され、
前記第２ゴム部は、車両装着時に外側に配置され、
前記第１ゴム部と前記第２ゴム部との界面は、タイヤ幅方向で最も外側に配置される一対の主溝間に配置され、
車両装着時にタイヤ赤道面よりも内側のタイヤ外径の平均は、車両装着時にタイヤ赤道面よりも外側のタイヤ外径の平均よりも、大きい、空気入りタイヤ。
【請求項２】
前記複数の主溝及び接地端によって区画される複数の陸部を備え、
前記複数の陸部のうち、全体が車両装着時にタイヤ赤道面よりも内側に配置される陸部は、少なくとも二つ備えられ、
車両装着時に最も内側に配置される陸部の、タイヤ赤道面からタイヤ幅方向に同じだけ離れた位置同士のタイヤ外径差の平均は、車両装着時に内側から２番目に配置される陸部の、タイヤ赤道面からタイヤ幅方向に同じだけ離れた位置同士のタイヤ外径差の平均よりも、大きい、請求項１に記載の空気入りタイヤ。
【請求項３】
前記複数の主溝と接地端とによって区画される複数の陸部を備え、
前記第１ゴム部で構成される陸部のボイド比は、前記第２ゴム部で構成される陸部のボイド比よりも、小さい、請求項１又は２に記載の空気入りタイヤ。
【請求項４】
前記複数の主溝によって区画されることによって、前記タイヤ赤道面を含むセンター陸部を備え、
前記界面は、前記センター陸部に位置する、請求項１〜３の何れか１項に記載の空気入りタイヤ。
【発明の詳細な説明】
【技術分野】
【０００１】
本発明は、空気入りタイヤに関する。
【背景技術】
【０００２】
従来、例えば、空気入りタイヤは、タイヤ径方向の外表面を有するゴム表層部を備え、ゴム表層部のタイヤ幅方向の第１側と第２側とは、それぞれ異なるゴム硬度を有するゴムで形成されている（例えば、特許文献１）。斯かる空気入りタイヤにおいては、旋回時の操縦安定性能と旋回時の制動性能との両方の低下を抑制することが難しい。
【先行技術文献】
【特許文献】
【０００３】
【特許文献１】特開２０１２−７６５９３号公報
【発明の概要】
【発明が解決しようとする課題】
【０００４】
そこで、課題は、異なるゴム硬度を有するゴムの界面をゴム表層部に有しつつも、旋回時の操縦安定性能及び旋回時の制動性能が低下することを抑制することができる空気入りタイヤを提供することである。
【課題を解決するための手段】
【０００５】
空気入りタイヤは、タイヤ周方向に延びる複数の主溝を備える空気入りタイヤであって、タイヤ径方向の外表面を有するゴム表層部を備え、前記ゴム表層部は、第１ゴムで形成される第１ゴム部と、第１ゴムのゴム硬度よりも大きいゴム硬度である第２ゴムで形成される第２ゴム部と、を備え、前記第１ゴム部は、車両装着時に内側に配置され、前記第２ゴム部は、車両装着時に外側に配置され、前記第１ゴム部と前記第２ゴム部との界面は、タイヤ幅方向で最も外側に配置される一対の主溝間に配置され、車両装着時にタイヤ赤道面よりも内側のタイヤ外径の平均は、車両装着時にタイヤ赤道面よりも外側のタイヤ外径の平均よりも、大きい。
【０００６】
また、空気入りタイヤは、前記複数の主溝及び接地端によって区画される複数の陸部を備え、前記複数の陸部のうち、全体が車両装着時にタイヤ赤道面よりも内側に配置される陸部は、少なくとも二つ備えられ、車両装着時に最も内側に配置される陸部の、タイヤ赤道面からタイヤ幅方向に同じだけ離れた位置同士のタイヤ外径差の平均は、車両装着時に内側から２番目に配置される陸部の、タイヤ赤道面からタイヤ幅方向に同じだけ離れた位置同士のタイヤ外径差の平均よりも、大きい、という構成でもよい。
【０００７】
また、空気入りタイヤは、前記複数の主溝と接地端とによって区画される複数の陸部を備え、前記第１ゴム部で構成される陸部のボイド比は、前記第２ゴム部で構成される陸部のボイド比よりも、小さい、という構成でもよい。
【０００８】
また、空気入りタイヤは、前記複数の主溝によって区画されることによって、前記タイヤ赤道面を含むセンター陸部を備え、前記界面は、前記センター陸部に位置する、という構成でもよい。
【図面の簡単な説明】
【０００９】
【図１】図１は、一実施形態に係る空気入りタイヤのタイヤ子午面における要部断面図である。
【図２】図２は、同実施形態に係る空気入りタイヤのトレッド面の展開図である。
【図３】図３は、図１のIII領域拡大図である。
【図４】図４は、同実施形態に係る空気入りタイヤのタイヤ子午面における要部断面模式図である。
【図５】図５は、図４のＶ領域拡大図である。
【図６】図６は、図４のVI領域拡大図である。
【図７】図７は、比較例に係る空気入りタイヤの接地形状を示す図である。
【図８】図８は、図１〜図６に係る空気入りタイヤの接地形状を示す図である。
【図９】図９は、他の実施形態に係る空気入りタイヤのタイヤ子午面における要部断面図である。
【図１０】図１０は、さらに他の実施形態に係る空気入りタイヤのタイヤ子午面における要部断面図である。
【発明を実施するための形態】
【００１０】
以下、空気入りタイヤにおける一実施形態について、図１〜図８を参照しながら説明する。なお、各図（図９及び図１０も同様）において、図面の寸法比と実際の寸法比とは、必ずしも一致しておらず、また、各図面の間での寸法比も、必ずしも一致していない。
【００１１】
各図において、第１の方向Ｄ１は、空気入りタイヤ（以下、単に「タイヤ」ともいう）１の回転中心であるタイヤ回転軸と平行であるタイヤ幅方向Ｄ１であり、第２の方向Ｄ２は、タイヤ１の直径方向であるタイヤ径方向Ｄ２であり、第３の方向Ｄ３は、タイヤ回転軸周りのタイヤ周方向Ｄ３である。
【００１２】
なお、タイヤ幅方向Ｄ１において、内側は、タイヤ赤道面Ｓ１に近い側となり、外側は、タイヤ赤道面Ｓ１から遠い側となる。また、タイヤ径方向Ｄ２において、内側は、タイヤ回転軸に近い側となり、外側は、タイヤ回転軸から遠い側となる。
【００１３】
タイヤ赤道面Ｓ１とは、タイヤ回転軸に直交する面で且つタイヤ１のタイヤ幅方向Ｄ１の中心に位置する面のことであり、タイヤ子午面とは、タイヤ回転軸を含む面で且つタイヤ赤道面Ｓ１と直交する面のことである。また、タイヤ赤道線とは、タイヤ１のタイヤ径方向Ｄ２の外表面（後述する、トレッド面２ａ）とタイヤ赤道面Ｓ１とが交差する線のことである。
【００１４】
図１に示すように、本実施形態に係るタイヤ１は、ビードを有する一対のビード部１１と、各ビード部１１からタイヤ径方向Ｄ２の外側に延びるサイドウォール部１２と、一対のサイドウォール部１２のタイヤ径方向Ｄ２の外端部に連接され、タイヤ径方向Ｄ２の外表面が路面に接地するトレッド部２とを備えている。本実施形態においては、タイヤ１は、内部に空気が入れられる空気入りタイヤ１であって、リム２０に装着される。
【００１５】
また、タイヤ１は、一対のビードの間に架け渡されるカーカス層１３と、カーカス層１３の内側に配置され、空気圧を保持するために、気体の透過を阻止する機能に優れるインナーライナー層１４とを備えている。カーカス層１３及びインナーライナー層１４は、ビード部１１、サイドウォール部１２、及びトレッド部２に亘って、タイヤ内周に沿って配置されている。
【００１６】
タイヤ１は、タイヤ赤道面Ｓ１に対して非対称となる構造である。本実施形態においては、タイヤ１は、車両への装着向きを指定されたタイヤであり、リム２０に装着する際に、タイヤ１の左右何れを車両に対面するかを指定されたタイヤである。なお、トレッド部２のトレッド面２ａに形成されるトレッドパターンは、タイヤ赤道面Ｓ１に対して非対称となる形状としている。
【００１７】
車両への装着の向きは、サイドウォール部１２に表示されている。具体的には、サイドウォール部１２は、タイヤ外表面を構成すべく、カーカス層１３のタイヤ幅方向Ｄ１の外側に配置されるサイドウォールゴム１２ａを備え、該サイドウォールゴム１２ａの表面に、表示部を有している。
【００１８】
例えば、車両装着時に内側（各図における左側であって、以下、「車両内側」ともいう）Ｄ１１に配置される一方のサイドウォール部１２は、車両内側となる旨の表示（例えば、「ＩＮＳＩＤＥ」等）を付されている。また、例えば、車両装着時に外側（各図における右側であって、以下、「車両外側」ともいう）Ｄ１２に配置される他方のサイドウォール部１２は、車両外側となる旨の表示（例えば、「ＯＵＴＳＩＤＥ」等）を付されている。なお、車両内側Ｄ１１は、タイヤ１が車両に装着された際に、車両中心に近い側となり、車両外側Ｄ１２は、タイヤ１が車両に装着された際に、車両中心から遠い側となる。
【００１９】
トレッド部２は、路面に接地するトレッド面２ａを有するトレッドゴム２１と、トレッドゴム２１とカーカス層１３との間に配置されるベルト部２２とを備えている。また、トレッド部２は、ベルト部２２を補強するために、トレッドゴム２１とベルト部２２との間に配置されるベルト補強部２３を備えている。
【００２０】
トレッド面２ａは、実際に路面に接地する接地面を有しており、当該接地面のうち、タイヤ幅方向Ｄ１の外側端は、接地端２ｂ，２ｃという。なお、接地端２ｂ，２ｃのうち、車両内側Ｄ１１の接地端２ｂは、車両内側接地端２ｂといい、車両外側Ｄ１２の接地端２ｃは、車両外側接地端２ｃという。また、該接地面は、タイヤ１を正規リム２０にリム組みし、正規内圧を充填した状態でタイヤ１を平坦な路面に垂直に置き、正規荷重を加えたときの路面に接地するトレッド面２ａを指す。
【００２１】
正規リム２０は、タイヤ１が基づいている規格を含む規格体系において、当該規格がタイヤ１ごとに定めるリム２０であり、例えば、ＪＡＴＭＡであれば標準リム、ＴＲＡであれば「Ｄｅｓｉｇｎ  Ｒｉｍ」、ＥＴＲＴＯであれば「Ｍｅａｓｕｒｉｎｇ  Ｒｉｍ」となる。
【００２２】
正規内圧は、タイヤ１が基づいている規格を含む規格体系において、各規格がタイヤ１ごとに定めている空気圧であり、ＪＡＴＭＡであれば最高空気圧、ＴＲＡであれば表「ＴＩＲＥ  ＬＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ」に記載の最大値、ＥＴＲＴＯであれば「ＩＮＦＬＡＴＩＯＮＰＲＥＳＳＵＲＥ」であるが、タイヤ１が乗用車用である場合には１８０ｋＰａとする。
【００２３】
正規荷重は、タイヤ１が基づいている規格を含む規格体系において、各規格がタイヤ１ごとに定めている荷重であり、ＪＡＴＭＡであれば最大負荷能力、ＴＲＡであれば上記の表に記載の最大値、ＥＴＲＴＯであれば「ＬＯＡＤ  ＣＡＰＡＣＩＴＹ」であるが、タイヤ１が乗用車用である場合には内圧１８０ｋＰａの対応荷重の８５％とする。
【００２４】
ベルト部２２は、少なくとも一つ（本実施形態においては、二つ）のベルト層２２ａ，２２ｂを備えている。具体的には、ベルト部２２は、第１ベルト層２２ａと、第１ベルト層２２ａよりもタイヤ径方向Ｄ２の外側に配置される第２ベルト層２２ｂとを備えている。なお、ベルト層２２ａ，２２ｂの層数は、特に限定されない。
【００２５】
ベルト補強部２３は、ベルト層２２ａ，２２ｂをタイヤ幅方向Ｄ１に亘って覆うように配置されるキャップ補強層２３ａを備えている。また、ベルト補強部２３は、ベルト層２２ａ，２２ｂのタイヤ幅方向Ｄ１の端部を覆うように配置されるエッジ補強層２３ｂ，２３ｂを備えている。なお、ベルト補強部２３の有無及び位置は、特に限定されない。
【００２６】
図１及び図２に示すように、トレッドゴム２１は、タイヤ周方向Ｄ３に延びる複数の主溝３ａ，３ｂを備えている。主溝３ａ，３ｂは、タイヤ周方向Ｄ３に連続して延びている。本実施形態においては、主溝３ａ，３ｂは、タイヤ周方向Ｄ３に沿ってストレート状に延びている、という構成であるが、斯かる構成に限られず、例えば、屈折を繰り返してジグザグ状に延びている、という構成でもよく、また、例えば、湾曲を繰り返して波状に延びている、という構成でもよい。
【００２７】
主溝３ａ，３ｂは、例えば、摩耗するにしたがって露出することで摩耗度合が分かるように、溝を浅くしてある部分、所謂、トレッドウエアインジケータ（図示していない）を備えている。また、例えば、主溝３ａ，３ｂは、接地端２ｂ，２ｃ間の距離（接地端２ｂ，２ｃ間のタイヤ幅方向Ｄ１の寸法）の３％以上の溝幅を有している。また、例えば、主溝３ａ，３ｂは、５ｍｍ以上の溝幅を有している。
【００２８】
複数の主溝３ａ，３ｂにおいては、タイヤ幅方向Ｄ１の最も外側に配置される一対の主溝３ａ，３ａは、ショルダー主溝３ａといい、また、一対のショルダー主溝３ａ，３ａ間に配置される主溝３ｂは、センター主溝３ｂという。なお、車両内側Ｄ１１のショルダー主溝３ａは、車両内側ショルダー主溝３ａといい、車両外側Ｄ１２のショルダー主溝３ａは、車両外側ショルダー主溝３ａという。また、センター主溝３ｂの有無及び個数は、特に限定されないが、本実施形態においては、センター主溝３ｂの個数は、二つである。
【００２９】
トレッドゴム２１は、主溝３ａ，３ｂ及び接地端２ｂ，２ｃによって区画される複数の陸部４〜８を備えている。複数の陸部４〜８においては、ショルダー主溝３ａと接地端２ｂ，２ｃとによって区画される陸部４，５は、ショルダー陸部４，５といい、隣接される主溝３ａ，３ｂ同士によって区画され、一対のショルダー陸部４，５間に配置される陸部６〜８は、ミドル陸部６〜８という。
【００３０】
ミドル陸部６〜８のうち、ショルダー主溝３ａとセンター主溝３ｂとによって区画される陸部６，７は、メディエイト陸部６，７といい、センター主溝３ｂ，３ｂ同士によって区画される陸部８は、センター陸部８という。なお、車両内側Ｄ１１のショルダー陸部４は、車両内側ショルダー陸部４といい、車両外側Ｄ１２のショルダー陸部５は、車両外側ショルダー陸部５といい、車両内側Ｄ１１のメディエイト陸部６は、車両内側メディエイト陸部６といい、車両外側Ｄ１２のメディエイト陸部７は、車両外側メディエイト陸部７という。
【００３１】
本実施形態においては、センター主溝３ｂ，３ｂは、タイヤ赤道面Ｓ１を挟むように配置されている。これにより、センター陸部８は、タイヤ赤道面Ｓ１を含むように配置されている。これにより、車両内側ショルダー陸部４及び車両内側メディエイト陸部６の全体は、タイヤ赤道面Ｓ１よりも、車両内側Ｄ１１に配置され、車両外側ショルダー陸部５及び車両外側メディエイト陸部７の全体は、タイヤ赤道面Ｓ１よりも、車両外側Ｄ１２に配置されている。
【００３２】
また、陸部４〜８は、複数の陸溝３ｃ，３ｄを備えている。複数の陸溝３ｃ，３ｄは、タイヤ周方向Ｄ３に対して交差するように延びている。そして、タイヤ周方向Ｄ３に対して交差するように延びている陸溝３ｃ，３ｄのうち、溝幅が１．６ｍｍ以上である陸溝３ｃは、幅溝３ｃといい、溝幅が１．６ｍｍ未満である陸溝３ｄは、サイプ３ｄという。なお、陸部４〜８は、溝幅が主溝３ａ，３ｂの溝幅よりも小さく且つタイヤ周方向Ｄ３に沿って連続的又は断続的に延びる陸溝を備えていてもよく、斯かる陸溝は、周溝という。
【００３３】
図３に示すように、トレッドゴム２１は、タイヤ径方向Ｄ２の外表面であるトレッド面２ａを有するゴム表層部９と、ゴム表層部９よりもタイヤ径方向Ｄ２の内側に配置されるゴム内層部２１ａとを備えている。なお、ゴム内層部２１ａの有無及び層数は、特に限定されない。また、ゴム内層部２１ａのうち、タイヤ径方向Ｄ２の最も内側に配置されるゴム内層部２１ａは、ベースゴムといい、ゴム表層部９及び他のゴム内層部２１ａは、キャップゴムという。
【００３４】
ゴム表層部９は、第１ゴムで形成される第１ゴム部９ａと、第１ゴムのゴム硬度よりも大きいゴム硬度である第２ゴムで形成される第２ゴム部９ｂとを備えている。なお、ゴム硬度は、「ＪＩＳ  Ｋ６２５３−１−２０１２  ３．２  デュロメータ硬さ」に基づき、２３℃で測定した硬度である。
【００３５】
各ゴムのゴム硬度は、特に限定されないが、例えば、第１ゴムのゴム硬度は、６６〜７０としてもよく、また、例えば、第２ゴムのゴム硬度は、７０〜７４としてもよい。また、例えば、第１ゴムと第２ゴムとのゴム硬度差は、特に限定されないが、例えば、２〜６としてもよい。
【００３６】
ゴム表層部９は、第１ゴム部９ａと第２ゴム部９ｂとの界面９ｃを備えている。そして、界面９ｃは、一対のショルダー主溝３ａ，３ａ間に配置されている。これにより、制動時に、一対のショルダー主溝３ａ，３ａ間に配置される界面９ｃに、歪みが発生するため、当該歪みが路面に対する抵抗となる。したがって、制動距離を低減させることができるため、制動性能を向上させることができる。
【００３７】
また、本実施形態においては、界面９ｃは、トレッド面２ａに現れるように、主溝３ａ，３ｂではなく、陸部８に位置している。これにより、界面９ｃで発生する歪みが、路面に対する直接的な抵抗となる。
【００３８】
しかも、本実施形態においては、界面９ｃは、センター陸部８、具体的には、タイヤ赤道面Ｓ１に位置している。これにより、タイヤ赤道面Ｓ１に近いほど制動時の接地圧が大きくなることに対して、界面９ｃが、タイヤ赤道面Ｓ１に最も近い（具体的には、タイヤ赤道面Ｓ１を含む）センター陸部８に位置していることになる。これにより、界面９ｃで発生する歪みが、路面に対して効果的な抵抗となるため、制動距離を効果的に低減させることができる。
【００３９】
また、第１ゴム部９ａは、ゴム表層部９の車両内側Ｄ１１に配置されており、第２ゴム部９ｂは、ゴム表層部９の車両外側Ｄ１２に配置されている。これにより、外輪として旋回する際に大きな力が作用する車両外側Ｄ１２に、ゴム硬度が相対的に大きい第２ゴム部９ｂが、配置されている。したがって、ゴム表層部９の車両外側Ｄ１２の剛性を大きくすることができるため、旋回時の操縦安定性能を向上させることができている。
【００４０】
なお、界面９ｃは、例えば、主溝３ａ，３ｂに位置しており、トレッド面２ａに現れていない、という構成でもよい。また、界面９ｃは、ミドル陸部６〜８に位置しているものの、センター陸部８ではなく、メディエイト陸部６，７に位置している、という構成でもよい。
【００４１】
また、界面９ｃは、センター陸部８に位置しているものの、タイヤ赤道面Ｓ１から離れて位置している、という構成でもよい。例えば、界面９ｃとタイヤ赤道面Ｓ１との間の距離は、接地端２ｂ，２ｃ間の距離（接地端２ｂ，２ｃ間のタイヤ幅方向Ｄ１の寸法）の１０％以下であることが好ましく、また、５％以下であることがより好ましく、３％以下であることが非常に好ましい。
【００４２】
図２に戻り、本実施形態においては、第１ゴム部９ａで構成される陸部４，６，８のボイド比は、第２ゴム部９ｂで構成される陸部５，７，８のボイド比よりも、小さくなっている。これにより、ゴム硬度が相対的に小さい第１ゴム部９ａで構成される陸部４，６，８のボイド比は、ゴム硬度が相対的に大きい第２ゴム部９ｂで構成される陸部５，７，８のボイド比よりも、小さくなっている。したがって、車両内側Ｄ１１の陸部４，６，８と車両外側Ｄ１２の陸部５，７，８との剛性差が大きくなることを抑制できる。
【００４３】
なお、第１ゴム部９ａで構成される陸部４，６，８は、車両内側ショルダー陸部４及び車両内側メディエイト陸部６と、センター陸部８のうち、界面９ｃ（タイヤ赤道面Ｓ１）よりも車両内側Ｄ１１の領域である。したがって、第１ゴム部９ａで構成される陸部４，６，８のボイド比とは、車両内側接地端２ｂと界面９ｃとの間の陸部４，６，８の面積（主溝３ａ，３ｂを含まず、陸溝３ｃ，３ｄを含む）の総和に対する、陸溝３ｃ，３ｄの面積の総和の比率のことである。
【００４４】
また、第２ゴム部９ｂで構成される陸部５，７，８は、車両外側ショルダー陸部５及び車両外側メディエイト陸部７と、センター陸部８のうち、界面９ｃ（タイヤ赤道面Ｓ１）よりも車両外側Ｄ１２の領域である。したがって、第２ゴム部９ｂで構成される陸部５，７，８のボイド比とは、車両外側接地端２ｃと界面９ｃとの間の陸部５，７，８の面積（主溝３ａ，３ｂを含まず、陸溝３ｃ，３ｄを含む）の総和に対する、陸溝３ｃ，３ｄの面積の総和の比率のことである。
【００４５】
なお、車両内側メディエイト陸部６における、幅溝３ｃ（サイプ３ｄは除く）のピッチ（タイヤ周方向Ｄ３の間隔）は、車両外側メディエイト陸部７における、幅溝３ｃ（サイプ３ｄは除く）のピッチよりも、大きくなっている。また、車両内側ショルダー陸部４における、幅溝３ｃ（サイプ３ｄは除く）のピッチは、車両外側ショルダー陸部５における、幅溝３ｃ（サイプ３ｄは除く）のピッチよりも、大きくなっている。
【００４６】
ここで、陸部４〜８の構成について、図４〜図６を参照しながら説明する。
【００４７】
図４〜図６に示すように、トレッド部２のタイヤ径方向Ｄ２の外表面には、基準面となるプロファイル面Ｓ２が存在する。プロファイル面Ｓ２は、タイヤ赤道面Ｓ１を基準として対称となっている。図４〜図６（図９及び図１０も同様）においては、プロファイル面Ｓ２は、破線で図示されている。
【００４８】
そして、タイヤ赤道面Ｓ１よりも車両外側Ｄ１２のトレッド面２ａは、プロファイル面Ｓ２と一致している。一方、タイヤ赤道面Ｓ１よりも車両内側Ｄ１１のトレッド面２ａの一部は、プロファイル面Ｓ２よりも、タイヤ径方向Ｄ２で外側に位置している。即ち、タイヤ赤道面Ｓ１よりも車両内側Ｄ１１の陸部４，６は、プロファイル面Ｓ２からタイヤ径方向Ｄ２の外側に突出する突出部４１，６１を備えている。なお、図４〜図６（図９及び図１０も同様）においては、突出部４１，６１は、誇張して図示されている。
【００４９】
本実施形態においては、全体がタイヤ赤道面Ｓ１よりも車両内側Ｄ１１に配置されている陸部４，６、即ち、車両内側ショルダー陸部４及び車両内側メディエイト陸部６が、突出部４１，６１を備えている。これにより、タイヤ赤道面Ｓ１よりも車両内側Ｄ１１のタイヤ外径Ｒ１の平均は、タイヤ赤道面Ｓ１よりも車両外側Ｄ１２のタイヤ外径Ｒ２の平均よりも、大きくなっている。
【００５０】
なお、突出部４１，６１がプロファイル面Ｓ２からタイヤ径方向Ｄ２の外側に突出する量（以下、単に「突出量」ともいう）Ｗ１は、タイヤ赤道面Ｓ１からタイヤ幅方向Ｄ１に同じ距離Ｗ２だけ離れた位置同士のタイヤ外径Ｒ１，Ｒ２の差（以下、単に「タイヤ外径差」という）ΔＲ（＝Ｒ２−Ｒ１）から算出できる。具体的には、突出部４１，６１の突出量Ｗ１は、当該タイヤ外径差ΔＲの５０％である。
【００５１】
図５に示すように、車両内側メディエイト陸部６は、タイヤ幅方向Ｄ１で均等に三つの領域Ａ６１〜Ａ６３に区分できる。そして、各領域Ａ６１〜６３は、タイヤ幅方向Ｄ１の内側から、それぞれ内側領域Ａ６１，中央領域Ａ６２，外側領域Ａ６３という。
【００５２】
そして、車両内側メディエイト陸部６の突出部６１の突出量Ｗ１が最大となるトレッド面２ａの位置、即ち、突出部６１の頂点６２は、車両内側メディエイト陸部６の中央領域Ａ６２に配置されている。なお、本実施形態においては、車両内側メディエイト陸部６のうち、タイヤ外径差ΔＲが最大となるトレッド面２ａの位置は、突出部６１の頂点６２である。
【００５３】
図６に示すように、車両内側ショルダー陸部４は、タイヤ幅方向Ｄ１で均等に三つの領域Ａ４１〜Ａ４３に区分できる。そして、各領域Ａ４１〜４３は、タイヤ幅方向Ｄ１の内側から、それぞれ内側領域Ａ４１，中央領域Ａ４２，外側領域Ａ４３という。
【００５４】
そして、車両内側ショルダー陸部４の突出部４１の突出量が最大となるトレッド面２ａの位置、即ち、突出部４１の頂点４２は、車両内側ショルダー陸部４の中央領域Ａ４２に配置されている。なお、本実施形態においては、車両内側ショルダー陸部４のうち、タイヤ外径差ΔＲが最大となるトレッド面２ａの位置は、突出部４１の頂点４２である。
【００５５】
ところで、陸部４，６の中央領域Ａ４２，Ａ６２は、内側領域Ａ４１，Ａ６１及び外側領域Ａ４３，Ａ６３よりも路面に接地し難いことに対して、突出部４１，６１の頂点４２，６２は、陸部４，６の中央領域Ａ４２，Ａ６２に配置されている。これにより、陸部４，６がタイヤ幅方向Ｄ１の全域に亘って接地することができる。
【００５６】
また、図５及び図６に示すように、車両内側ショルダー陸部４のタイヤ外径差ΔＲの平均は、車両内側メディエイト陸部６のタイヤ外径差ΔＲの平均よりも、大きくなっている。そして、車両内側ショルダー陸部４のタイヤ外径差ΔＲの最大値は、車両内側メディエイト陸部６のタイヤ外径差ΔＲの最大値よりも、大きくなっている。
【００５７】
即ち、車両内側ショルダー陸部４の突出部４１の突出量Ｗ１の最大値は、車両内側メディエイト陸部６の突出部６１の突出量Ｗ１の最大値よりも、大きくなっている。なお、突出部４１，６１の突出量Ｗ１の最大値は、特に限定されないが、例えば、ショルダー主溝３ａの深さの１％〜３％とすることができる。
【００５８】
本実施形態に係る空気入りタイヤ１の構成については以上の通りであり、次に、本実施形態に係る空気入りタイヤ１の作用について比較例と比較して説明する。
【００５９】
比較例に係るタイヤは、本実施形態に係るタイヤ１と比較して、トレッド面２ａがタイヤ赤道面Ｓ１を基準として対称となっている、即ち、比較例に係るタイヤは、本実施形態に係るタイヤ１に対して、タイヤ幅方向Ｄ１の全域に亘ってタイヤ外径差ΔＲがない、という構成に変更されたタイヤである。
【００６０】
図７は、比較例に係るタイヤの接地形状を示しており、図８は、本実施形態に係るタイヤ１の接地形状を示している。具体的には、図７及び図８に係る接地形状は、外輪として旋回した時の接地形状を示している。なお、図７及び図８においては、陸溝３ｃ，３ｄは、図示されていない。
【００６１】
図７に示すように、外輪として旋回した際には、車両外側Ｄ１２に大きな力が作用するため、車両内側Ｄ１１の接地長（接地形状のタイヤ周方向Ｄ３の長さ）は、車両外側Ｄ１２の接地長に対して、非常に短くなる。これにより、比較例に係るタイヤにおいては、タイヤ１全体における接地面積が小さくなるため、旋回時の制動性能が低下する。
【００６２】
それに対して、本実施形態に係るタイヤ１においては、タイヤ赤道面Ｓ１よりも車両内側Ｄ１１のタイヤ外径Ｒ１の平均は、タイヤ赤道面Ｓ１よりも車両外側Ｄ１２のタイヤ外径Ｒ２の平均よりも、大きくなっている。これにより、図８に示すように、車両内側Ｄ１１の接地長が短くなることを抑制することができるため、タイヤ１全体における接地面積が大きくなる。
【００６３】
しかも、外輪として旋回した際には、車両内側Ｄ１１に位置するほど、接地長が短くなり易いことに対して、車両内側ショルダー陸部４のタイヤ外径差ΔＲの平均は、車両内側メディエイト陸部６のタイヤ外径差ΔＲの平均よりも、大きくなっている。これにより、車両内側Ｄ１１に位置するほど接地長が短くなることを効果的に抑制することができている。したがって、旋回時の制動性能を効果的に向上させることができる。
【００６４】
さらに、ゴム硬度が相対的に大きい第２ゴム部９ｂが、車両外側Ｄ１２に配置されている。これにより、車両外側Ｄ１２の領域の剛性を大きくすることができるため、旋回時の操縦安定性能を向上させることもできている。このように、本実施形態に係るタイヤ１においては、異なるゴム硬度を有するゴムの界面９ｃをゴム表層部９に有しつつも、旋回時の操縦安定性能及び旋回時の制動性能が低下することを抑制することができている。
【００６５】
また、ゴム硬度が相対的に小さい第１ゴム部９ａは、ゴム硬度が相対的に大きい第２ゴム部９ｂと比較して、摩耗し易い。そして、第１ゴム部９ａが車両内側Ｄ１１に配置されているため、タイヤ１がキャンバー角のある車両に装着された場合には、第１ゴム部９ａのゴムの摩耗量が大きくなる。
【００６６】
それに対して、第１ゴム部９ａの陸部４，６が、突出部４１，６１を備えている。これにより、第１ゴム部９ａの陸部４，６のゴム体積が大きくなっているため、第１ゴム部９ａのゴムの摩耗量が大きい場合でも、タイヤ１の寿命が短くなることを抑制することができる。
【００６７】
以上より、本実施形態に係る空気入りタイヤ１は、タイヤ周方向Ｄ３に延びる複数の主溝３ａ，３ｂを備える空気入りタイヤ１であって、タイヤ径方向Ｄ２の外表面を有するゴム表層部９を備え、前記ゴム表層部９は、第１ゴムで形成される第１ゴム部９ａと、第１ゴムのゴム硬度よりも大きいゴム硬度である第２ゴムで形成される第２ゴム部９ｂと、を備え、前記第１ゴム部９ａは、車両装着時に内側Ｄ１１に配置され、前記第２ゴム部９ｂは、車両装着時に外側Ｄ１２に配置され、前記第１ゴム部９ａと前記第２ゴム部９ｂとの界面９ｃは、タイヤ幅方向Ｄ１で最も外側に配置される一対の主溝３ａ，３ａ間に配置され、車両装着時にタイヤ赤道面Ｓ１よりも内側Ｄ１１のタイヤ外径Ｒ１の平均は、車両装着時にタイヤ赤道面Ｓ１よりも外側Ｄ１２のタイヤ外径Ｒ２の平均よりも、大きい。
【００６８】
斯かる構成によれば、制動時に、第１ゴム部９ａと第２ゴム部９ｂとの界面９ｃには、歪みが発生する。そして、界面９ｃが、タイヤ幅方向Ｄ１で最も外側に配置される一対の主溝３ａ，３ａ間に配置されているため、当該歪みが路面に対する抵抗となる。したがって、制動距離を低減させることができるため、制動性能を向上させることができる。
【００６９】
また、外輪として旋回する際に、車両装着時に外側Ｄ１２の領域に大きな力が作用することに対して、ゴム硬度が相対的に大きい第２ゴム部９ｂが、車両装着時に外側Ｄ１２に配置されている。これにより、車両装着時に外側Ｄ１２の領域の剛性を大きくすることができるため、旋回時の操縦安定性能を向上させることができる。
【００７０】
ところで、旋回時の外輪において、車両装着時に内側Ｄ１１の領域の接地長が、短くなり易い。そこで、車両装着時にタイヤ赤道面Ｓ１よりも内側Ｄ１１のタイヤ外径Ｒ１の平均は、車両装着時にタイヤ赤道面Ｓ１よりも外側Ｄ１２のタイヤ外径Ｒ２の平均よりも、大きくなっている。
【００７１】
これにより、外輪として旋回した際に、車両装着時に内側Ｄ１１の領域の接地長が短くなることを抑制することができる。したがって、旋回時の外輪において、タイヤ１全体の接地面積が大きくなるため、旋回時の制動性能を向上させることができる。その結果、異なるゴム硬度を有するゴムの界面９ｃをゴム表層部９に有しつつも、旋回時の操縦安定性能及び旋回時の制動性能が低下することを抑制することができる。
【００７２】
また、本実施形態に係る空気入りタイヤ１は、前記複数の主溝３ａ，３ｂ及び接地端２ｂ，２ｃによって区画される複数の陸部４〜８を備え、前記複数の陸部４〜８のうち、全体が車両装着時にタイヤ赤道面Ｓ１よりも内側Ｄ１１に配置される陸部４，６は、少なくとも二つ備えられ、車両装着時に最も内側Ｄ１１に配置される陸部４の、タイヤ赤道面Ｓ１からタイヤ幅方向Ｄ１に同じだけ離れた位置同士のタイヤ外径差ΔＲの平均は、車両装着時に内側Ｄ１１から２番目に配置される陸部６の、タイヤ赤道面Ｓ１からタイヤ幅方向Ｄ１に同じだけ離れた位置同士のタイヤ外径差ΔＲの平均よりも、大きい、という構成である。
【００７３】
斯かる構成によれば、旋回時に、車両内側Ｄ１１に位置するほど、接地長が短くなり易いことに対して、車両装着時に最も内側Ｄ１１に配置される陸部４の、タイヤ赤道面Ｓ１からタイヤ幅方向Ｄ１に同じだけ離れた位置同士のタイヤ外径差ΔＲの平均は、車両装着時に内側Ｄ１１から２番目に配置される陸部６の、当該タイヤ外径差ΔＲの平均よりも、大きくなっている。これにより、車両内側Ｄ１１に位置するほど接地長が短くなることを効果的に抑制することができている。
【００７４】
また、本実施形態に係る空気入りタイヤ１は、前記複数の主溝３ａ，３ｂと接地端２ｂ，２ｃとによって区画される複数の陸部４〜８を備え、前記第１ゴム部９ａで構成される陸部４，６，８のボイド比は、前記第２ゴム部９ｂで構成される陸部５，７，８のボイド比よりも、小さい、という構成である。
【００７５】
斯かる構成によれば、ゴム硬度が相対的に小さい第１ゴム部９ａで構成される陸部４，６，８のボイド比は、ゴム硬度が相対的に大きい第２ゴム部９ｂで構成される陸部５，７，８のボイド比よりも、小さくなっている。これにより、車両装着時に内側Ｄ１１に配置される陸部４，６，８と車両装着時に外側Ｄ１２に配置される陸部５，７，８との剛性差が大きくなり過ぎることを抑制することができる。
【００７６】
また、本実施形態に係る空気入りタイヤ１は、前記複数の主溝３ａ，３ｂによって区画されることによって、前記タイヤ赤道面Ｓ１を含むセンター陸部８を備え、前記界面９ｃは、前記センター陸部８に位置する、という構成である。
【００７７】
斯かる構成によれば、界面９ｃがセンター陸部８に位置しているため、界面９ｃで発生する歪みが、路面に対する直接的な抵抗となる。しかも、タイヤ赤道面Ｓ１に近いほど制動時の接地圧が大きくなることに対して、界面９ｃが、タイヤ赤道面Ｓ１に最も近いセンター陸部８に位置しているため、界面９ｃで発生する歪みが、路面に対して効果的な抵抗となる。
【００７８】
なお、空気入りタイヤ１は、上記した実施形態の構成に限定されるものではなく、また、上記した作用効果に限定されるものではない。また、空気入りタイヤ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７９】
（１）上記実施形態に係る空気入りタイヤ１においては、突出部４１，６１の頂点４２，６２は、陸部４，６の中央領域Ａ４２，Ａ６２に配置されている、という構成である。しかしながら、空気入りタイヤ１は、斯かる構成に限られない。例えば、突出部４１，６１の頂点４２，６２は、陸部４，６の内側領域Ａ４１，Ａ６１に配置されている、という構成でもよい。
【００８０】
また、例えば、図９に示すように、突出部６１の頂点６２は、陸部６の外側領域Ａ６３に配置されている、という構成でもよい。斯かる構成によれば、旋回時に、車両内側Ｄ１１に位置するほど、接地長が短くなり易いことに対して、当該接地長が短くなることを効果的に抑制することができる。
【００８１】
（２）また、上記実施形態に係る空気入りタイヤ１においては、突出部４１，６１は、頂点４２，６２を備えている、という構成である。しかしながら、空気入りタイヤ１は、斯かる構成に限られない。例えば、図１０に示すように、突出部６１がプロファイル面Ｓ２から突出する量は、陸部６のタイヤ幅方向Ｄ１の所定の領域に亘って同じである、即ち、突出部６１は、頂点６２を備えていない、という構成でもよい。なお、図１０に係る突出部６１は、角部に面取りを備えている、という構成であるが、面取りを備えていない、という構成でもよい。
【００８２】
（３）また、上記実施形態に係る空気入りタイヤ１においては、突出部４１，６１は、タイヤ赤道面Ｓ１よりも車両内側Ｄ１１に配置される陸部４，６のみに備えられている、という構成である。しかしながら、空気入りタイヤ１は、斯かる構成に限られない。例えば、突出部は、タイヤ赤道面Ｓ１よりも車両外側Ｄ１２に配置される陸部５，７，８にも備えられている、という構成でもよい。
【００８３】
（４）また、上記実施形態に係る空気入りタイヤ１においては、突出部４１，６１は、車両内側ショルダー陸部４及び車両内側メディエイト陸部６の二つの陸部４，６に備えられている、という構成である。しかしながら、空気入りタイヤ１は、斯かる構成に限られない。例えば、突出部４１，６１は、車両内側ショルダー陸部４又は車両内側メディエイト陸部６の一つの陸部４，６のみに備えられている、という構成でもよい。即ち、突出部４１，６１を有する陸部４，６の個数は、特に限定されない。
【００８４】
（５）また、上記実施形態に係る空気入りタイヤ１においては、車両内側ショルダー陸部４のタイヤ外径差ΔＲの平均は、車両内側Ｄ１１から２番目の陸部６である車両内側メディエイト陸部６のタイヤ外径差ΔＲの平均よりも、大きい、という構成である。しかしながら、空気入りタイヤ１は、斯かる構成が好ましいものの、斯かる構成に限られない。例えば、車両内側ショルダー陸部４のタイヤ外径差ΔＲの平均は、車両内側メディエイト陸部６のタイヤ外径差ΔＲの平均以下である、という構成でもよい。
【００８５】
（６）また、上記実施形態に係る空気入りタイヤ１においては、車両内側ショルダー陸部４のタイヤ外径差ΔＲの最大値は、車両内側Ｄ１１から２番目の陸部６である車両内側メディエイト陸部６のタイヤ外径差ΔＲの最大値よりも、大きい、という構成である。しかしながら、空気入りタイヤ１は、斯かる構成が好ましいものの、斯かる構成に限られない。例えば、車両内側ショルダー陸部４のタイヤ外径差ΔＲの最大値は、車両内側メディエイト陸部６のタイヤ外径差ΔＲの最大値以下である、という構成でもよい。
【００８６】
（７）また、上記実施形態に係る空気入りタイヤ１においては、第１ゴム部９ａで構成される陸部４，６，８のボイド比は、第２ゴム部９ｂで構成される陸部５，７，８のボイド比よりも、小さい、という構成である。しかしながら、空気入りタイヤ１は、斯かる構成が好ましいものの、斯かる構成に限られない。例えば、第１ゴム部９ａで構成される陸部４，６，８のボイド比は、第２ゴム部９ｂで構成される陸部５，７，８のボイド比以上である、という構成でもよい。
【符号の説明】
【００８７】
１…空気入りタイヤ、２…トレッド部、２ａ…トレッド面、２ｂ…車両内側接地端、２ｃ…車両外側接地端、３ａ…ショルダー主溝、３ｂ…センター主溝、３ｃ…陸溝（幅溝）、３ｄ…陸溝（サイプ）、４…車両内側ショルダー陸部、５…車両外側ショルダー陸部、６…ミドル陸部（車両内側メディエイト陸部）、７…ミドル陸部（車両外側メディエイト陸部）、８…ミドル陸部（センター陸部）、９…ゴム表層部、９ａ…第１ゴム部、９ｂ…第２ゴム部、９ｃ…界面、１１…ビード部、１２…サイドウォール部、１２ａ…サイドウォールゴム、１３…カーカス層、１４…インナーライナー層、２０…リム、２１…トレッドゴム、２１ａ…ゴム内層部、２２…ベルト部、２２ａ…第１ベルト層、２２ｂ…第２ベルト層、２３…ベルト補強部、２３ａ…キャップ補強層、２３ｂ…エッジ補強層、４１…突出部、４２…頂点、６１…突出部、６２…頂点、Ａ４１…内側領域、Ａ４２…中央領域、Ａ４３…外側領域、Ａ６１…内側領域、Ａ６２…中央領域、Ａ６３…外側領域、Ｄ１…タイヤ幅方向、Ｄ２…タイヤ径方向、Ｄ３…タイヤ周方向、Ｄ１１…車両内側、Ｄ１２…車両外側、Ｒ１…タイヤ外径、Ｒ２…タイヤ外径、ΔＲ…タイヤ外径差、Ｓ１…タイヤ赤道面、Ｓ２…プロファイル面
【図１】
2020045074.tif 000003
【図２】
2020045074.tif 000004
【図３】
2020045074.tif 000005
【図４】
2020045074.tif 000006
【図５】
2020045074.tif 000007
【図６】
2020045074.tif 000008
【図７】
2020045074.tif 000009
【図８】
2020045074.tif 000010
【図９】
2020045074.tif 000011
【図１０】
2020045074.tif 000012